(57)【要約】【課題】寸法が様々な電線巻設体に対して、一台の装置でもって対応（使用）できる電線引出装置を提供する。【解決手段】円環状ターン輪２上に設置して用いられ、３本〜８本のアーム４を有する放射状本体５と、この本体５に対して起立自在に設けられる保持杆８とを、備え、この保持杆８は、アーム４に対してラジアル方向無段階に位置決めされる。【選択図】図３
2019038629.tif 000002
【特許請求の範囲】
【請求項１】
円環状ターン輪（２）の上に設置され鉛直状軸心（Ｌ2 ）廻り回転自在であって、載置された電線巻設体（10）から電線（10Ｃ）を引出し自在な電線引出装置に於て、
３本〜８本のアーム（４）を一体放射状に有すると共に上記電線巻設体（10）が載置される放射状本体（５）と、
該放射状本体（５）の上記アーム（４）から鉛直状に起立して、上記電線巻設体（10）の孔内周面（10Ａ）に対応して該電線巻設体（10）のラジアル方向位置決めをする保持杆（８）と、
を具備し、
上記アーム（４）の横断面形状は、底辺部（41）と、左右鉛直辺部（42）（42）と、該鉛直辺部（42）（42）の上端に連設された係止用内鍔部（43）とを、有し、
さらに、上記保持杆（８）は、その基端（９）に係止片部（11）を一体に有し、水平姿勢から鉛直姿勢に起立させてゆくと、該係止片部（11）は上記アーム（４）の上記係止用内鍔部（43）を上方へ弾性変形させつつ係止して、上記保持杆（８）は上記アーム（４）に対してラジアル方向無段階位置決め自在に構成したことを特徴とする引出装置。
【請求項２】
上記保持杆（８）を、水平姿勢のままで、上記アーム（４）の外端開口部（45）から差込んで、該保持杆（８）をもって上記アーム（４）の長さを延長するアーム延長部材（50）に、兼用可能である請求項１記載の引出装置。
【請求項３】
上記アーム（４）は、上記円環状ターン輪（２）の外周縁（２Ｇ）に係止可能な位置決め突片（６）が下方向に突設されている請求項１又は２記載の引出装置。
【請求項４】
上記放射状本体（５）は、平面視に於ける中心位置に、有底状の短円筒部（15）が一体に設けられ、電線巻設体（10）の孔内周面（10Ａ）の内径の小さ目のものに対して、又は、電線巻設体（10）を取付けた電線ドラムの貫孔の小さ目のものに対して、ラジアル方向位置ずれを防ぐためのパイプ材（16）を、上記短円筒部（15）に上方から差込可能とした請求項１，２又は３記載の引出装置。
【発明の詳細な説明】
【技術分野】
【０００１】
本発明は、電線引出装置に関する。
【背景技術】
【０００２】
一般住宅や事務所等の建物内の電気配線工事に於て、種々の電線が使用され、電線巻設体（ドーナツ状電線巻回体）についても、内径・外径が大小様々なものが使用される。
上記工事の現場で、電線巻設体（ドーナツ状電線巻回体）から、電線を引き出すために、ターンテーブルと一体化されて、上面に、起伏自在な門型線材から成る一対の枠部材に、電線巻設体を外嵌状にセットして、電線を引出す装置が公知である（特許文献１参照）。
あるいは、直方体型の筐体（収納箱）内に、電線巻設体を収納し、上面蓋板の中央の引出窓部から、電線を引き出す装置が公知である（特許文献２参照）。
【先行技術文献】
【特許文献】
【０００３】
【特許文献１】特開２００２−６０１４３号公報
【特許文献２】特開２００２−３７０８６６号公報
【発明の概要】
【発明が解決しようとする課題】
【０００４】
従来公知の上述の電線引出装置は、外径・内径・高さの各寸法が予め決まっている電線巻設体について使用するのであるならば、軽量で、コンパクトで使い易く、問題がない。
しかしながら、電気配線工事の現場では、既述の如く、電線巻設体の内径・外径の寸法が種々雑多であり、引用文献１，２のような従来の電線引出装置では、使用が困難な場合があった。
【課題を解決するための手段】
【０００５】
そこで、本発明は、円環状ターン輪の上に設置され鉛直状軸心廻り回転自在であって、載置された電線巻設体から電線を引出し自在な電線引出装置に於て；３本〜８本のアームを一体放射状に有すると共に上記電線巻設体が載置される放射状本体と；該放射状本体の上記アームから鉛直状に起立して、上記電線巻設体の孔内周面に対応して該電線巻設体のラジアル方向位置決めをする保持杆と；を具備し；上記アームの横断面形状は、底辺部と、左右鉛直辺部と、該鉛直辺部の上端に連設された係止用内鍔部とを、有し；さらに、上記保持杆は、その基端に係止片部を一体に有し、水平姿勢から鉛直姿勢に起立させてゆくと、該係止片部は上記アームの上記係止用内鍔部を上方へ弾性変形させつつ係止して、上記保持杆は上記アームに対してラジアル方向無段階位置決め自在に構成したものである。
【０００６】
また、上記保持杆を、水平姿勢のままで、上記アームの外端開口部から差込んで、該保持杆をもって上記アームの長さを延長するアーム延長部材に、兼用可能としたものである。
また、上記アームは、上記円環状ターン輪の外周縁に係止可能な位置決め突片が下方向に突設されている。
また、上記放射状本体は、平面視に於ける中心位置に、有底状の短円筒部が一体に設けられ、電線巻設体の孔内周面の内径の小さ目のものに対して、又は、電線巻設体を取付けた電線ドラムの貫孔の小さ目のものに対して、ラジアル方向位置ずれを防ぐためのパイプ材を、上記短円筒部に上方から差込可能とした。
【発明の効果】
【０００７】
本発明に係る電線引出装置によれば、内径・外径・高さ寸法が、大小様々な電線巻設体に対応可能となる。
即ち、内径・外径・高さ寸法が、相違した（ドーナツ状の）電線巻設体を、常に安定した正常な姿勢をもって保持しつつ、回転し、電線が、スムーズかつ確実に引き出しでき、電気配線工事を能率良く行い得る。
【図面の簡単な説明】
【０００８】
【図１】本発明の実施の一形態を示す使用状態の斜視図である。
【図２】平面図である。
【図３】図２のＡ3 −Ｏ−Ｂ3 断面矢視図である。
【図４】アームの２つの実施例を示す横断面図である。
【図５】アームに対する保持杆の姿勢変化と作用を説明する要部説明側面断面図である。
【図６】アームに対する保持杆の姿勢変化と作用を説明する要部説明正面断面図である。
【図７】他の実施形態を示す平面図である。
【図８】要部側面断面図である。
【図９】アームに対して保持杆を起立姿勢とした要部側面断面図である。
【図１０】図８のＣ10−Ｃ10断面図である。
【図１１】図９のＣ11−Ｃ11断面図である。
【発明を実施するための形態】
【０００９】
以下、図示の実施の形態に基づき本発明を詳説する。
図１に於て、10は、電線10Ｃがドーナツ状（束状）に巻かれた電線巻設体であり、Ｚは、この電線巻設体10が載置された本発明に係る電線引出装置であって、この電線引出装置Ｚは、円環状ターン輪２の上に設置して使用される。
【００１０】
この円環状ターン輪２は、図３に示すように、多数の鋼球（ボール）21と、これを上下から包囲状として、上方リング22・下方リング23によって組立てられている（図３参照）。
また、この円環状ターン輪２は、ターンテーブル等とも一般に呼ばれることもあり、床面等の載置面に、水平状に設置され、本発明に係る電線引出装置Ｚは、円環状ターン輪２の上に設置されて、鉛直状軸心Ｌ2 廻りに回転自在である。
【００１１】
図１〜図６に示す実施の形態に於て、３本〜８本のアーム４を一体放射状に有する放射状本体５を備え、この放射状本体５の上にドーナツ状（束状）の電線巻設体10が載置される。なお、放射状本体５のアーム４の本数は、図例では３本を示す。好ましくは、４本〜６本である。３本未満では、電線巻設体10を安定姿勢で保持することができない。また、８本を越せば、不必要に重量が大きくなる。
８は、本体５のアーム４から鉛直状に起立して、電線巻設体10の孔内周面10Ａに対応して、電線巻設体10のラジアル方向位置決めをする保持杆である。具体例では、この保持杆８は基端以外は、角パイプ状である。
【００１２】
そして、図４に示したように、アーム４の横断面形状は、底辺部41と、左右鉛直辺部42，42と、該鉛直辺部42，42の上端に連設された係止用内鍔部43とを、一体に有する角型である。
なお、図４（Ａ），図５，図６に示した実施例では、内鍔部43は、内方下傾状として、設けられている。これを、図４（Ｂ）に示したように、内方水平状として内鍔部43を形成することも可能である。
【００１３】
さらに、保持杆８は、その基端９に係止片部11を一体に有する。図５と図６に示すように、アーム４に対して、そのラジアル外方端開口部から、保持杆８をその基端９から水平状に保ちつつ挿入してゆく（図５（Ａ）の矢印Ｑ参照）。次に、アーム４の所望の位置で挿入を止めて、図５（Ｂ）の矢印Ｍ方向に保持杆８を起立させる。つまり、保持杆８の先端が、ラジアル内方向かつ上方に向かって、起立（揺動）させてゆく。
このような起立（揺動）に伴って、図５（Ｂ）と図６（Ｂ）に示すように、係止片部11は、アーム４の係止用内鍔部43，43に対して押上力Ｆ11を付与する。これによって内鍔部43，43は上方へ弾性変形する（図６（Ｂ）の矢印Ｍ43参照）。
【００１４】
このようにして、図６（Ａ）の水平姿勢から、図６（Ｂ）の矢印Ｍ43方向への内鍔部43，43の弾性変形を経て、図６（Ｃ）の鉛直姿勢では、内鍔部43，43の弾性変形Ｍ43によって、内鍔部43，43から弾発的反力Ｆ43が付与され、保持杆８は鉛直姿勢を維持する。しかも、保持杆８を鉛直姿勢に立設（起立）させ得るアーム４のラジアル方向位置は、任意に（自由に）決め得る。つまり、無段階に位置決め自在である。なお、図５（Ｂ）（Ｃ）及び図６（Ｂ）（Ｃ）に示すように、起立途中及び鉛直姿勢にあっては、常に、保持杆８の下端部８Ｅは、アーム４の底辺部41に圧接する。
しかも、図１からも判る如く、電線巻設体10の孔内周面10Ａは、保持杆８を、その上端をラジアル内方向へ倒さんとする力を与えるので、図５（Ｃ）の状態からは保持杆８はラジアル内方向へは倒れることがない。しかも、保持杆８の基端９は、底辺部41と係止用内鍔部43により、下方と上方から強く圧接状態（引掛り状態）となって、保持杆８はラジアル内方向へ不意に位置ずれ（移動）せず、そのラジアル内方位置を、維持できる。
【００１５】
次に、図７〜図11に示す他の実施形態について説明すると、同一符号は図１〜図６に於て説明した構成と同様であるが、相違する点について以下説明する。
即ち、保持杆８を、水平姿勢のままで、アーム４の外端開口部45から差込んで、該保持杆８をもって、上記アーム４の長さを延長するアーム延長部材50に、兼用する。
【００１６】
ところで、保持杆８の基端９には前述の係止片部11が一体に付設されており、図７に於て、アーム延長部材50（保持杆８）の先端寄りに下方向の荷重（外力）が作用して、図８の矢印Ｍ8 方向のモーメントが加わった際、アーム４の内鍔部43，43に係止して、上方へ飛び出すことを防止する係止片12が、保持杆８の端面８Ｇに溶接等で固着されている。
また、水平姿勢の保持杆８に於て、基端寄りからラジアル方向の中間にわたって、図８と図10に示すように、左右の内鍔部43，43の上面に（スライド可能に）乗り上げて、保持杆８のラジアル方向の中間から先端にわたって、下方傾斜状となるのを阻止する幅広帯板13が付設されている。
【００１７】
そして、図３に示すように、アーム４は、円環状ターン輪２の上面に、載置・分離自在として、載置され、ボルト等の連結具を使用していないので、円環状ターン輪２の軸心Ｌ2 と、放射状本体５の軸心とが位置ずれを生じたり、場合によっては、電線10Ｃを強く引出すときに、放射状本体５と電線巻設体10が、円環状ターン輪２に対して水平に滑って、脱落する虞もある。しかしながら、本発明では、図３に示す如く、円環状ターン輪２の外周縁２Ｇに係止可能な（倒立Ｌ字型の）位置決め突片６が下方向に突設されている。
なお、図３では、各アーム４に２個以上の位置決め突片６，６を配設して、種々相違する汎用の円環状ターン輪２に対応できるようにしている。
【００１８】
次に、図１，図２，図７に示すように、放射状本体５は、平面視に於ける中心位置に、有底状の短円筒部15が溶接等で一体に設けられている。
この短円筒部15の有底状とは、完全に閉じる円底板の他に、貫孔を有する円底板を用いる場合も好ましい。
この短円筒部15に（図１，図２，図３等に示した）パイプ材16を上方から差込可能であって、図１に例示したように、電線巻設体10の孔内周面10Ａが大きい内径のものでは、保持杆８を適用することで、省略できるが、電線巻設体10の孔内周面10Ａの内径が小さ目のものに対しては、上記パイプ材16が、ラジアル方向位置ずれを防ぐ役目をなす。
起立姿勢の保持杆８を使用して電線巻設体10の位置決めを行う（位置ずれを阻止する）場合には、このパイプ材16を取去っても良い。
【００１９】
本発明は、以上詳述したように、円環状ターン輪２の上に設置され鉛直状軸心Ｌ2 廻り回転自在であって、載置された電線巻設体10から電線10Ｃを引出し自在な電線引出装置に於て；３本〜８本のアーム４を一体放射状に有すると共に上記電線巻設体10が載置される放射状本体５と；該放射状本体５の上記アーム４から鉛直状に起立して、上記電線巻設体10の孔内周面10Ａに対応して該電線巻設体10のラジアル方向位置決めをする保持杆８と；を具備し；上記アーム４の横断面形状は、底辺部41と、左右鉛直辺部42，42と、該鉛直辺部42，42の上端に連設された係止用内鍔部43とを、有し；さらに、上記保持杆８は、その基端９に係止片部11を一体に有し、水平姿勢から鉛直姿勢に起立させてゆくと、該係止片部11は上記アーム４の上記係止用内鍔部43を上方へ弾性変形させつつ係止して、上記保持杆８は上記アーム４に対してラジアル方向無段階位置決め自在に構成したので、放射状本体５はアーム４を一体放射状に有し、強度も大きく軽量化を図り得ると共に耐久性も優れる。特に、保持杆８がアーム４に対してラジアル方向無段階位置決め自在であることで、電線巻設体10の外径・内径・高さが大小種々のものに対して、柔軟に対応できて至便である。しかも、全体が軽量かつコンパクトとなる。
【００２０】
また、円環状ターン輪２の上面に、この電線引出装置Ｚを設置するので、設置・分離自在であって、持運びも容易である。
そして、内鍔部43，43を弾性変形させつつ、基端９の係止片部11が、起立姿勢に切換わる。
そして、保持杆８の基端９は、水平から起立姿勢へ切換わる際に、アーム４の内鍔部43，43を弾性変形させつつ係止状態となるので、一旦起立姿勢となった保持杆８は、がたつかずに安定して、その姿勢及びラジアル方向位置を維持する。
また、保持杆８の起立すべきアーム４のラジアル方向位置を、迅速・簡単に変更・調整できるので、孔内周面10Ａの内径寸法が大小相違する（各種電線を各々巻いた）電線巻設体10について、本発明に係る一個の引出装置をもって、次々と連続して、室内配線工事を実施可能となる。
【００２１】
次に、上記保持杆８を、水平姿勢のままで、上記アーム４の外端開口部45から差込んで、該保持杆８をもって上記アーム４の長さを延長するアーム延長部材50に、兼用可能としたので、引出装置の構成部品の点数が増加しないで済み、しかも、電線巻設体10の外径寸法が大きなものであっても、安定姿勢をもって確実に取付け（載置）できて、配線工事を能率良く行い得る。
【００２２】
また、上記アーム４は、上記円環状ターン輪２の外周縁２Ｇに係止可能な位置決め突片６が下方向に突設されているので、円環状ターン輪２の軸心Ｌ2 に対して、放射状本体５の軸心（中心点）が位置ずれせず、円滑に電線10Ｃを引き出すことができる。
【００２３】
また、上記放射状本体５は、平面視に於ける中心位置に、有底状の短円筒部15が一体に設けられ、電線巻設体10の孔内周面10Ａの内径の小さ目のものに対して、又は、電線巻設体10を取付けた電線ドラムの貫孔の小さ目のものに対して、ラジアル方向位置ずれを防ぐためのパイプ材16を、上記短円筒部15に上方から差込可能としたので、起立状態の保持杆８によって、孔内周面10Ａの内径寸法が中から大き目の電線巻設体10を上述の如く確実に保持して、電線10Ｃを能率良く引出すことができると共に、内径寸法の小さ目の電線巻設体10をも、確実に保持して、電線10Ｃを同様に引出しできて、一層、多種多様な電線巻設体10に対して使用可能となる。また、（一般に使用されている木製の）電線ドラムに電線を巻いたものに対しては、その電線ドラムの貫孔が数十mmと小さい場合には、その貫孔にパイプ材16を挿入状として保持でき、電線ドラムから、能率良く電線を引出し得る。
【符号の説明】
【００２４】
２  円環状ターン輪（ターンテーブル）
２Ｇ  外周縁
４  アーム
５  放射状本体
６  位置決め突片
８  保持杆
９  基端
10  電線巻設体
10Ａ  孔内周面
10Ｃ  電線
11  係止片部
15  短円筒部
16  パイプ材
41  底辺部
42  鉛直辺部
43  係止用内鍔部
45  外端開口部
50  アーム延長部材
Ｌ2   鉛直状軸心
Ｚ  電線引出装置
【図１】
2019038629.tif 000003
【図２】
2019038629.tif 000004
【図３】
2019038629.tif 000005
【図４】
2019038629.tif 000006
【図５】
2019038629.tif 000007
【図６】
2019038629.tif 000008
【図７】
2019038629.tif 000009
【図８】
2019038629.tif 000010
【図９】
2019038629.tif 000011
【図１０】
2019038629.tif 000012
【図１１】
2019038629.tif 000013
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
円環状ターン輪（２）の上に設置され鉛直状軸心（Ｌ2 ）廻り回転自在であって、載置された電線巻設体（10）から電線（10Ｃ）を引出し自在な電線引出装置に於て、
３本〜８本のアーム（４）を一体放射状に有すると共に上記電線巻設体（10）が載置される放射状本体（５）と、
該放射状本体（５）の上記アーム（４）から鉛直状に起立して、上記電線巻設体（10）の孔内周面（10Ａ）に対応して該電線巻設体（10）のラジアル方向位置決めをする保持杆（８）と、
を具備し、
上記アーム（４）の横断面形状は、底辺部（41）と、左右鉛直辺部（42）（42）と、該鉛直辺部（42）（42）の上端に連設された係止用内鍔部（43）とを、有し、
さらに、上記保持杆（８）は、その基端（９）に係止片部（11）を一体に有し、水平姿勢から鉛直姿勢に起立させてゆくと、該係止片部（11）は上記アーム（４）の上記係止用内鍔部（43）を上方へ弾性変形させつつ係止して、上記保持杆（８）は上記アーム（４）に対してラジアル方向無段階位置決め自在に構成したことを特徴とする引出装置。
【請求項２】
上記アーム（４）は、上記円環状ターン輪（２）の外周縁（２Ｇ）に係止可能な位置決め突片（６）が下方向に突設されている請求項１記載の引出装置。
【請求項３】
上記放射状本体（５）は、平面視に於ける中心位置に、有底状の短円筒部（15）が一体に設けられ、電線巻設体（10）の孔内周面（10Ａ）の内径の小さ目のものに対して、又は、電線巻設体（10）を取付けた電線ドラムの貫孔の小さ目のものに対して、ラジアル方向位置ずれを防ぐためのパイプ材（16）を、上記短円筒部（15）に上方から差込可能とした請求項１又は２記載の引出装置。
【手続補正２】
【補正対象書類名】明細書
【補正対象項目名】０００６
【補正方法】変更
【補正の内容】
【０００６】
また、上記アームは、上記円環状ターン輪の外周縁に係止可能な位置決め突片が下方向に突設されている。
また、上記放射状本体は、平面視に於ける中心位置に、有底状の短円筒部が一体に設けられ、電線巻設体の孔内周面の内径の小さ目のものに対して、又は、電線巻設体を取付けた電線ドラムの貫孔の小さ目のものに対して、ラジアル方向位置ずれを防ぐためのパイプ材を、上記短円筒部に上方から差込可能とした。